(57)【特許請求の範囲】
【請求項１】
建物外壁の外壁パネル１間に横目地４と縦目地２が形成され、横目地４にはシーリング材５が装填される一方、縦目地２には外壁パネル側端面に弾接する表側リップ７、２６と、該表側リップ７、２６の奥側に位置するリップ８、２９を備えたガスケット１１、１４、１７、２１、２５が装填される目地構造における前記ガスケットであって、該ガスケット１１、１４、１７、２１、２５は、下端が前記シーリング材５に押し付けられると共に、前記表側リップ７、２６には排水部１２、１５、１８、２３、２７が形成され、前記表側リップ７、２６を潜り抜け、ガスケット内に侵入して該ガスケットを伝い落ちる雨水等が前記シーリング材５で堰止められ、該シーリング材上に溜まった雨水等を前記排水部１２、１５、１８、２３、２７より外部に染み出して排出させるようにしたことを特徴とする目地用のガスケット。
【請求項２】
建物外壁の外壁パネル１間に形成される縦目地２に装填され、外壁パネル側端面に弾接する表側リップ７、２６と、該表側リップ７、２６の奥側に位置するリップ８、２９を備えたガスケット１１、１４、１７、２１、２５であって、前記表側リップ７、２６を潜り抜け、ガスケット内に侵入して該ガスケットを伝い落ちる雨水等を堰止める堰止め手段を設けると共に、該堰止め手段上の前記表側リップ７、２６に排水部１２、１５、１８、２３、２７を形成し、該排水部１２、１５、１８、２３、２７より堰止め手段上に溜まる雨水等を外部に染み出して排出させるようにしたガスケットにおいて、前記堰止め手段が表側リップ７、２６とその奥側のリップ８、２９のリップ間に装填されるゴム、樹脂、シーリング材、ブチルシール材又は接着剤等の止水材２２、３１、３３よりなることを特徴とする目地用のガスケット。
【請求項３】
上記排水部がスリット１２、１５、１８、２３、２７であることを特徴とする請求項１又は２記載の目地用のガスケット。
【請求項４】
上記排水部が小穴であることを特徴とする請求項１又は２記載の目地用のガスケット。
【請求項５】
表側リップ２６には切欠き２８、孔若しくはスリットが形成され、該切欠き２８、孔若しくはスリットを通して止水材３１、３３が前記リップ２６、２９間に装填されることを特徴とする請求項２に記載の目地用のガスケット。
【発明の詳細な説明】
【技術分野】
【０００１】
本発明は、建物外壁の外壁パネル間に形成される縦目地に装填され、外壁パネル側端面に弾接するリップを備えたガスケットに関する。
【背景技術】
【０００２】
図１は、外壁パネル１を取付けた建物外壁の縦目地２と横目地４の交差部分を示すもので、外壁パネル間の縦目地２にはゴム又は樹脂製のガスケット３が装填されると共に、横目地４にシーリング材５が充填され、その施工は、先にガスケット３を縦目地２に装填し、ついでシーリング材５を横目地４に充填している。
【０００３】
図２は、上述するガスケット３の一例を示すもので、柱部６と、柱部上端より側方に突出形成される表側リップ７と、柱部中間より側方に突出形成される中リップ８と、柱部下端より側方に突出形成される奥リップ９よりなっている。
【発明の開示】
【発明が解決しようとする課題】
【０００４】
図示するような目地構造においては、降雨時、とくに外壁を高圧洗浄するときに、雨水や洗浄水（以下、単に雨水等という）が、ガスケット３の表側リップ７を潜り抜けて侵入することがあり、侵入した雨水等は、表側リップ７と中リップ８との間を流下してシーリング材で堰き止められ、シーリング材上に溜まったり、更には、溜まった水が凍結融解して外壁パネルの腐食の原因となったり、ガスケット端とシーリング材との間の隙間より室内側へ漏水するおそれがある。
【０００５】
本発明は、ガスケット内に雨水等が浸入して内部に溜まるようなことがあっても、これを外部に排出して上記の問題を解消することができるようにしたガスケットを提供することを目的とする。
【課題を解決するための手段】
【０００６】
請求項１に係わる発明は、建物外壁の外壁パネル間に横目地と縦目地が形成され、横目地にはシーリング材が装填される一方、縦目地には外壁パネル側端面に弾接する表側リップと、該表側リップの奥側に位置するリップを備えたガスケットが装填される目地構造における前記ガスケットであって、該ガスケットは、下端が前記シーリング材に押付けられると共に、前記表側リップには排水部が形成され、前記表側リップを潜り抜け、ガスケット内に侵入して該ガスケットを伝い落ちる雨水等が前記シーリング材で堰止められ、該シーリング材上に溜まった雨水等を前記排水部より外部に染み出して排出させるようにしたことを特徴とする。
【０００７】
請求項２に係わる発明は、建物外壁の外壁パネル間に形成される縦目地に装填され、外壁パネル側端面に弾接する表側リップと、該表側リップの奥側に位置するリップを備えたガスケットであって、前記表側リップを潜り抜け、ガスケット内に侵入して該ガスケットを伝い落ちる雨水等を堰止める堰止め手段を設けると共に、該堰止め手段上の前記表側リップに排水部を形成し、該排水部より堰止め手段上に溜まる雨水等を外部に染み出して排出させるようにしたガスケットにおいて、前記堰止め手段が表側リップとその奥側のリップのリップ間に装填されるゴム、樹脂、シーリング材、ブチルシール材又は接着剤等の止水材よりなることを特徴とする。
【０００８】
止水材としては、定形、不定形のいずれのタイプのものでも使用することができ、止水材が定形である場合には、作業性の観点からガスケットを縦目地に装填する前にガスケットに取付けるのが望ましく、止水材が不定形である場合には、ガスケットを縦目地に装填したのちにガスケットに注入するのが望ましい。とくに止水材として接着剤を用いれば、注入された接着剤がガスケットと外壁材を接着し、ガスケットが縦目地から脱落するのを防止することができる。
【０００９】
請求項３に係わる発明は、請求項１又は２に係る発明の排水部がスリットであることを特徴とし、
請求項４に係る発明は、請求項１又は２に係る発明の排水部が小穴であることを特徴とする。
【００１０】
上述する請求項３に係る発明におけるスリットは、ガスケットの長手方向に沿って一定長さ、すなわち縦向きに一定長さ形成されていてもよいし、ガスケットの長さと直交する方向、すなわち横向きに形成されていてもよく、また上下に傾斜して形成されていてもよい。そしてスリットは、表側リップの両側に一か所ずつ形成してもよいし、複数か所ずつ形成してもよい。
【００１１】
好ましいスリットは、横向きで表側リップの両側に複数か所ずつ形成される。好ましい理由は次の通りである。スリットの形成は、通常切込みによって行われるが、切込みは、図３或いは図５に示すようにリップ先端から入れる方が図４に示すようにガスケット端から離して入れるよりも容易であり、したがってリップ先端から横向きに入れる方がガスケット端から離して一定長さ形成するよりもスリットを容易に形成することができること、スリットを縦向きに形成した場合、ガスケットを縦目地に装填したときに、表側リップが撓んでスリット幅が減少し、水が染み出しにくくなって排水性が悪化するおそれがあるのに対し、スリットを横向きに形成した場合には、こうした問題が生じにくいこと、スリットが片側に一か所しか形成されていないと、目詰まりによる排水性が悪くなるおそれがあるのに対し、複数箇所設けられていると、一箇所で目詰まりしても他のスリットから水が染み出すようになり、排水性を維持できるようになること等のためである。
【００１２】
請求項４に係る発明における小穴は、Φ１〜２ｍｍ程度が好ましい。１ｍｍ未満だと穴があけにくく、２ｍｍを越えると、外部から穴を通して表側リップ内に雨水等が入ってくるおそれがあり、溜まった雨水等の排水ができなくなるおそれがある。
【００１３】
請求項１及び２に係る発明におけるシーリング材及び止水材は、それぞれ単独でガスケット内に侵入して該ガスケットを伝い落ちる雨水等を堰止める手段として用いることもできるが、両者を併用するのが望ましい。両者を併用することにより、堰止め効果を長期間持続させることができる。
【００１４】
請求項５に係る発明は、請求項２に係る発明において、表側リップには切欠き、孔若しくはスリットが形成され、該切欠き、孔若しくはスリットを通して止水材が前記リップ間に装填されることを特徴とする。
【発明の効果】
【００１５】
請求項１に係る発明によると、雨水等がガスケット内に侵入し、ガスケット内を流れ落ちてシーリング材で堰止められ、シーリング材上で溜まるようなことがあっても、リップに形成した、例えばスリットや穴よりなる排水部より外部に染み出して排出されるため、外壁パネルが腐食する原因となったり、ガスケットと堰止め手段との間より漏出して室内に水漏れする、といった問題を解消することができる。本発明においてはまた、ガスケット内を流れ落ちる雨水等の堰止めを横目地に装填されるシーリング材を利用して行うことができる。
【００１６】
請求項２乃至４に係る発明においては、ガスケット内に侵入し、ガスケット内を流れ落ちた雨水等は止水材で堰止められ、請求項１に係る発明と同様、リップに形成した、例えばスリットや穴よりなる排水部より外部に染み出して排出され、外壁パネルが腐食する原因となったり、ガスケットと堰止め手段との間より漏出して室内に水漏れする、といった問題を解消することができる。
【００１７】
請求項５に係る発明においては、施工前のガスケットに対してはもとよりのこと、縦目地にガスケットを装填した施工後においても切欠き、孔若しくはスリットを通して止水材を装填することができる。
【発明を実施するための最良の形態】
【００１８】
以下、本発明の実施形態のガスケットについて図面により説明する。図中、図１及び図２に示すものと同一構造部分には同一符号を示してある。
【００１９】
図３は、図１に示す外壁パネル間の縦目地２に装填されるガスケット１１について示すもので、図２に示すガスケット３と同様、柱部６と、表側リップ７と、その奥側に位置する中リップ８及び奥リップ９よりなり、シーリング材５に押付けられる下端面から一定高さの表側リップ７には、両側のリップ先端より柱部６に向かってガスケット１１の長手方向と直交する方向に切込みによる排水部としてのスリット１２が入れられている。
【００２０】
図４に示すガスケット１４は、図３に示すガスケット１１が表側リップ７の各側縁にスリット１２をガスケット１１の長手方向と直交する方向に形成したのに対し、排水部としてのスリット１５を表側リップ７の各側縁に対し、ガスケット下端面から一定高さの箇所よりガスケット１４の長手方向に一定長さ形成したものである。
【００２１】
図５に示すガスケット１７は、図３に示すガスケット１１がスリット１２をガスケット１１の長手方向と直交する方向に形成したのに対し、排水部としてのスリット１８を表側リップ７の両側縁に側端に向かって斜め上方向(中心部に向かって斜め下方向)に向けて形成したものである。スリット１８を図示するように、斜め上方向に向けて形成する代わりに斜め下方に形成してもよい。
【００２２】
また図示する例では、スリット１２、１５、１８は表側リップの片側に一箇所ずつ形成されているが、好ましい例では、複数箇所ずつ形成され、より好ましい例では複数の各スリットがそれぞれ平行に形成される。
【００２３】
図６は、図１に示す外壁パネル間の縦目地２に図３に示すガスケット１１を装填すると共に、横目地４にシーリング材５を充填した場合の図１におけるＡ−Ａ線断面を示すもので、表側リップ７を潜り抜けてガスケット１１内に侵入した雨水等は、表側リップ７と中リップ８の間を伝って流下し、堰止め手段としてのシーリング材５で堰止められて、シーリング材５上に溜まる。溜まった雨水等のレベルがスリット１２を越えると、その静圧により雨水等がスリットより染み出て外部に排出される。シーリング材上に雨水等が溜まるようなことがあってもスリット１２に達するまでは雨水等は排出されないが、スリット１２のレベルに達するまでの雨水等の量は、僅かな量であるため静圧も小さく、シーリング材５との間より室内側に漏出することはないし、外壁パネル１の腐食の原因となることもない。
【００２４】
図７は、別の例のガスケット２１を示すもので、図２に示すガスケット３の下端部の表側リップ７と中リップ８間にゴム又は樹脂製の発泡体、シーリング材、ブチルシール材等よりなる堰止め手段としての止水材２２を装填して必要によっては接着剤にて接着し、止水材２２から一定高さをなす表側リップ７に前述のスリット１２と同じスリット２３を形成したものである。
ガスケット２１を縦目地２に装填するときには、止水材２２をガスケット２１両側のリップ７、８間にそれぞれ装着したのち、縦目地２に装填する。
【００２５】
図８は、ガスケット２１を縦目地２に装填したときの図１のＡ−Ａ線断面を示すもので、表側リップ７を潜り抜けた雨水等が止水材２２で堰止められ、止水材２２上に溜まるようになっており、溜まった雨水等はスリット２３を通して外部に染み出し排出されるようになっている。
【００２６】
図９は、更に別のガスケット２５について示すもので、下端部の表側リップ２６に前述のスリット１２、２３と同じスリット２７を形成すると共に、その下部に後述の止水材３１を装填するための切欠き２８を形成したものである。
【００２７】
図１０は、このガスケット２５を図１に示す外壁パネル１間の縦目地２に装填し、かつシーリング材５を横目地４に装填したのち、前記切欠き２８を通してゴム又は樹脂製の発泡体、シーリング材、ブチルシール材等よりなる堰止め手段としての止水材３１を押込んで表側リップ２６と、その奥側の中リップ２９の間に装填したときの図１１のＢ−Ｂ線における断面を示すもので、止水材３１で堰止められ、止水材上に溜まった雨水等は、前述のスリット１２、２３と同様、スリット２７を通して外部に染み出し排出されるようになっている。
【００２８】
図１２は、縦目地２に図９に示すガスケット２５を装填したのち、流動性のあるシーリング材、ブチルシール材、好ましくは接着剤よりなる堰止め手段としての止水材３３を前記切欠き２８に差込んだ注入器３４のノズル３５より押出して充填する態様を示している。
【００２９】
本実施形態の切欠き２８は、ノズル３５が差込めるような孔若しくはスリットに代えてもよく、そのサイズもノズル３５が差込めるだけの大きさを有していればよい。切欠き２８或いは孔を小さくすることにより目立たないようにすることができる。
【００３０】
止水材３１、３３については、ガスケット２５の表側リップ２６と同色にするのが望ましい。そしてその注入量は、切欠き２８や孔が塞がる程度まで注入されるとよく、更には表リップ２６と、その奥側の中リップ２９の間に溜まった雨水等が外部に染み出て排出されるようなスリット状の隙間が残されるように注入するのが好ましい。
【００３１】
上記実施形態のガスケット２５は、柱部６の両側に中空部を有する形態をなしているが、別の実施形態のガスケットである、図２〜図５及び図７に示すような柱部６の両側に中空部を有しないタイプのものにも上記手段が適用される。
【産業上の利用可能性】
【００３２】
本発明のガスケットは、縦目地と横目地を備えた建物外壁或いは縦目地のみを備えた建物外壁の縦目地に装填するガスケットとして用いられる。
【図面の簡単な説明】
【００３３】
【図１】建物外壁の要部の正面図。
【図２】従来のガスケットの下端部の斜視図。
【図３】本発明に係るガスケットの斜視図。
【図４】ガスケットの別の例を示す斜視図。
【図５】ガスケットの更に別の例を示す斜視図。
【図６】図３に示すガスケットを用いた図１のＡ−Ａ線での断面図。
【図７】本発明に係るガスケットの別の例の下端部の斜視図。
【図８】図７に示すガスケットを用いた図１のＡ−Ａ線での断面図。
【図９】本発明に係るガスケットの更に別の例の下端部の斜視図。
【図１０】図９に示すガスケットを用いた図１１のＢ−Ｂ線での断面図。
【図１１】本発明に係るガスケットを装着した建物外壁の要部の正面図。
【図１２】止水材を注入器を用いて充填するときの態様を示す断面図。
【符号の説明】
【００３４】
１・・外壁パネル
２・・縦目地
３、１１、１４、１７、２１、２５・・ガスケット
４・・横目地
５・・シーリング材
６・・柱部
７、２６・・表側リップ
８、２９・・中リップ
９・・奥リップ
１２、１５、１８、２３、２７・・スリット
２２、３１、３３・・止水材
２８・・切欠き
３４・・注入器
３５・・ノズル
【図１】
0004817809.tif 000002
【図２】
0004817809.tif 000003
【図３】
0004817809.tif 000004
【図４】
0004817809.tif 000005
【図５】
0004817809.tif 000006
【図６】
0004817809.tif 000007
【図７】
0004817809.tif 000008
【図８】
0004817809.tif 000009
【図９】
0004817809.tif 000010
【図１０】
0004817809.tif 000011
【図１１】
0004817809.tif 000012
【図１２】
0004817809.tif 000013